(57)【要約】【課題】簡素な構成にて、かばんへの取り付けを短時間で実現させることができるかばん用仕切りを提供する。【解決手段】かばん用仕切りは、かばんの底に敷くための第一方向に延びた底敷と、前記底敷の上に配置されており、前記第一方向に直角な第二方向及び第三方向に延びる仕切り板とを備え、前記仕切り板に、前記底敷に平行なスリットが形成されており、前記底敷は前記スリットに挿入され、前記仕切り板は前記底敷に沿って摺動可能である。【選択図】図１
2020014699.tif 000002
【特許請求の範囲】
【請求項１】
かばんの内側を仕切るかばん用仕切りであって、
かばんの底に敷くための第一方向に延びた底敷と、
前記底敷の上に配置されており、前記第一方向に直角な第二方向及び第三方向に延びる仕切り板と
を備え、
前記仕切り板に、前記底敷に平行なスリットが形成されており、
前記底敷は前記スリットに挿入され、
前記仕切り板は前記底敷に沿って摺動可能である
かばん用仕切り。
【請求項２】
前記底敷の下に配置され、前記仕切り板に連結される底板を備え、
前記仕切り板と前記底板との間に前記スリットが形成されている
請求項１に記載のかばん用仕切り。
【請求項３】
前記仕切り板及び底板を連結する側板を備える
請求項２に記載のかばん用仕切り。
【発明の詳細な説明】
【技術分野】
【０００１】
本技術は、かばんの内側を仕切るかばん用仕切りに関する。
【背景技術】
【０００２】
従来、バッグの内側において、バッグの前後両面に、左右に延びたスライドレールを設け、該スライドレールにスライダを介して中仕切りを設けた可動中仕切りバッグが提案されている。左右方向において、中仕切りを所望の位置に配することができる（特許文献１参照）。
【先行技術文献】
【特許文献】
【０００３】
【特許文献１】特開２０００―１８４９０９号公報
【発明の概要】
【発明が解決しようとする課題】
【０００４】
上述したバッグにおいては、バッグの内側へのスライダの取り付けに長時間を要する。またスライダ及びスライドレールの嵌合構造は複雑である。
【０００５】
本開示は斯かる事情に鑑みてなされたものであり、簡素な構成にて、かばんへの取り付けを短時間で実現させることができるかばん用仕切りを提供することを目的とする。
【課題を解決するための手段】
【０００６】
本開示に係るかばん用仕切りは、かばんの内側を仕切るかばん用仕切りであって、かばんの底に敷くための第一方向に延びた底敷と、前記底敷の上に配置されており、前記第一方向に直角な第二方向及び第三方向に延びる仕切り板とを備え、前記仕切り板に、前記底敷に平行なスリットが形成されており、前記底敷は前記スリットに挿入され、前記仕切り板は前記底敷に沿って摺動可能である。
【０００７】
本開示においては、底敷と仕切り板とをかばんに入れることによって、仕切りがかばんに取り付けられる。
【０００８】
本開示に係るかばん用仕切りは、前記底敷の下に配置され、前記仕切り板に連結される底板を備え、前記仕切り板と前記底板との間に前記スリットが形成されている。
【０００９】
本開示においては、仕切り板を所望の位置に配置させた後、かばんの中に、本、ラップトップコンピュータなどの物体を収納させる。物体の重量によって、底板は、底敷とかばんの底との間に挟まれ、仕切り板は固定される。そのため、仕切り板を固定させるための手段は必要無い。
【００１０】
本開示に係るかばん用仕切りは、前記仕切り板及び底板を連結する側板を備える。
【００１１】
本開示においては、仕切り板及び底板に側板を連結させることによって、かばん用仕切りの形状が安定し、仕切り板を円滑に移動させることができる。
【発明の効果】
【００１２】
本開示に係るかばん用仕切りにあっては、底敷と仕切り板とをかばんに入れるだけで、仕切りをかばんに取り付けることができ、レール及びスライダなどの部品を使用することなく、簡素な構成にて、かばんへの取り付けを短時間で実現させることができる。
【図面の簡単な説明】
【００１３】
【図１】かばん用仕切りを示す斜視図である。
【図２】かばん用仕切りを示す縦断面図である。
【図３】可動仕切りの展開図である。
【図４】可動仕切りの展開斜視図である。
【図５】かばん用仕切りが取り付けられたかばんを略示する縦断面図である。
【発明を実施するための形態】
【００１４】
以下本発明を、かばん用仕切り１を示す図面に基づいて説明する。以下の説明では、図に示す上下前後左右を使用する。図１は、かばん用仕切り１を示す斜視図、図２は、かばん用仕切り１を示す縦断面図である。かばん用仕切り１は、かばんの底面に設置され、前後に短く、左右に長い矩形状の底敷２と、該底敷２に沿って移動可能な可動仕切り４とを備える。底敷２は、かばんの底面の前後左右寸法に対応した寸法にて、設計されている。
【００１５】
底敷２の左右両縁部から、底敷２に対して略直角なストッパ３が上方に突出している。ストッパ３は可動仕切り４の移動を規制し、可動仕切り４が底敷２から分離することを防止する。可動仕切り４は、底敷２に直角な仕切り板５と、底敷２に平行な底板６と、底板６及び仕切り板５を連結する第一側板７及び第二側板８とを備える。仕切り板５は底敷２の上に配置されている。仕切り板５は、上下及び前後方向に延びた四角形状をなし、底敷２の上側の空間を左右に仕切る。底敷２の下に底板６が配置されている。底板６は、前後及び左右方向に延びた矩形状をなす。なお左右方向は第一方向に対応し、前後方向及び上下方向は第二方向及び第三方向に対応する。
【００１６】
底敷２の前方に第一側板７が配置されている。第一側板７は、前面視において、上側の左右幅が下側の左右幅よりも短い台形状をなす。第一側板７の右下隅は略直角をなし、第一側板７は底敷２に直角な右辺部７ａと、該右辺部７ａの下端から左方に略直角に突出しており、底敷２に平行な下辺部７ｂと、右辺部７ａの上端から左方に突出しており、下辺部７ｂよりも左右寸法が短く、下辺部７ｂに略平行な上辺部７ｄと、該上辺部７ｄ及び下辺部７ｂそれぞれの左端を連結する斜辺部７ｃとを有する。第一側板７の下辺部７ｂは底板６の前縁部に連結されており、第一側板７の右辺部７ａは仕切り板５の前縁部５ｃに連結されている。
【００１７】
底敷２の後方にも第二側板８が配置されている。第二側板８は、前面視において、上側の左右幅が下側の左右幅よりも短い台形状をなす。第二側板８の右下隅は略直角をなし、第二側板８は底敷２に直角な右辺部８ａと、該右辺部８ａの下端から左方に略直角に突出しており、底敷２に平行な下辺部８ｂと、右辺部８ａの上端から左方に略直角に突出しており、下辺部８ｂよりも左右寸法が短く、下辺部８ｂに略平行な上辺部８ｄと、該上辺部８ｄ及び下辺部８ｂそれぞれの左端を連結する斜辺部８ｃとを有する。第二側板８の下辺部８ｂは底板６の後縁部に連結されており、第二側板８の右辺部８ａは仕切り板５の後縁部５ｄに連結されている。仕切り板５及び底板６は、第一側板７及び第二側板８を介して連結されている。
【００１８】
仕切り板５、底板６、第一側板７及び第二側板８によって囲まれた空間は、上方及び左方に開放されており、換言すれば、可動仕切り４は、仕切り板５の上縁部５ａに連結する上面部を備えない。仕切り板５の左側において、ユーザは前記空間内にて物体を上下方向に移動させることができる。また仕切り板５の右側の空間も上方に開放されている。そのため、可動仕切り４をかばんの内側に配置させた場合、かばんの上側開口を通して、可動仕切り４によって仕切られた左右の空間に収納物２１（図５参照）を円滑に出し入れさせることができる。なお可動仕切り４の形状は上方及び左方に開放した形状であればよく、第一側板７及び第二側板８の形状は台形状に代えて三角形状又は四角形状であってもよい。
【００１９】
また第一側板７及び第二側板８の左下隅が直角をなし、第一側板７及び第二側板８の左辺部と、仕切り板５の前縁部５ｃ及び後縁部５ｄとが連結されてもよい。この場合、可動仕切り４の形状は上方及び右方に開放した形状となる。第一側板７及び第二側板８の形状は台形状に代えて三角形状又は四角形状であってもよい。
【００２０】
仕切り板５と底板６との間に、底敷２に平行な前後に延びたスリット９が形成されている。底敷２はスリット９に挿入されている。図２の矢印に示すように、仕切り板５、底板６、第一側板７及び第二側板８は、底敷２に沿って、左右に摺動させることができる。なお、二つのストッパ３を底敷２の左右両縁部にそれぞれ設けているが、一つのストッパ３のみを底敷２の左右両縁部のいずれか一方に設けてもよい。この場合、ストッパ３を設けていない底敷２の縁部から、スリット９に底敷２を挿入しやすくなる。またストッパ３を底敷２の左右両縁部のいずれにも設けなくてもよい。
【００２１】
図３は、可動仕切り４の展開図、図４は、可動仕切り４の展開斜視図である。仕切り板５の前縁部５ｃと、第一側板７の右辺部７ａとは第一折り目１１を介して連結されている。また仕切り板５の後縁部５ｄと、第二側板８の右辺部８ａとは第二折り目１２を介して連結されている。
【００２２】
底板６は、四角形の第一分板６ａ及び第二分板６ｂと有している。第一分板６ａの一辺は第一側板７の下辺部７ｂに第四折り目１４を介して連結している。第一分板６ａには、第四折り目１４に平行なスロット６ｃが形成されている。第二分板６ｂの一辺は第二側板８の下辺部８ｂに第三折り目１３を介して連結している。前記一辺に対向する第二分板６ｂの他辺から、第二分板６ｂに平行な半円形状の舌片６ｄが突出している。第三折り目１３は仕切り板５の下縁部５ｂよりも舌片６ｄ側に配置されており、第四折り目１４は仕切り板５の下縁部５ｂよりもスロット６ｃ側に配置されている。
【００２３】
第一折り目１１〜第四折り目１４を全て谷折りにし、舌片６ｄをスロット６ｃに挿入させることによって、可動仕切り４が組み立てられる。第三折り目１３及び第四折り目１４は、仕切り板５の下縁部５ｂよりも下側に位置しているので、底板６と仕切り板５との間に隙間が形成され、スリット９が形成される。底敷２をスリット９に挿入するか、又は可動仕切り４を組み立てる際に、第一分板６ａと第二分板６ｂを底敷２の下側に配置させて、連結させることによって、かばん用仕切り１が製作される。かばん用仕切り１は、板状の部品によって構成されており、簡素な構成となっている。そのため、短時間で製作することができる。なお第一折り目１１〜第四折り目１４を全て山折りにし、舌片６ｄをスロット６ｃに挿入させてもよい。
【００２４】
図５は、かばん用仕切り１が取り付けられたかばん２０を略示する縦断面図である。図５に示すように、かばん２０の内側にかばん用仕切り１が設置されている。なお、かばん用仕切り１の前後左右寸法は、かばん２０の底の前後左右寸法に対応している。かばん２０の上側に開口が形成されている。かばん２０の底の上に底敷２が設けられており、底板６は底敷２の下に配置されている。ユーザは可動仕切り４を移動させて、仕切り板５を所望の位置に配置させる。ユーザが収納物２１、例えば本、ラップトップコンピュータなどを底敷２の上に配置した場合、底板６は、収納物２１の重量によって、底敷２とかばん２０の底との間に強く挟まれて固定され、仕切り板５も固定される。仕切り板５は移動せず、前記所望の位置に止まる。仕切り板５を固定するための手段を設けること無く、収納物２１をかばん２０に入れるだけで、ユーザは仕切り板５を固定させることができる。
【００２５】
実施の形態に係るかばん用仕切りにあっては、底敷２及び仕切り板５を含むかばん用仕切り１を、かばん２０に入れるだけで、かばん２０に仕切りを取り付けることができ、レール及びスライダなどの部品を使用することなく、簡素な構成にて、かばん２０への取り付けを短時間で実現させることができる。
【００２６】
また仕切り板５及び底板６に第一側板７又は第二側板８を連結させることによって、可動仕切り４の強度が向上して、可動仕切り４の形状が安定し、可動仕切り４を円滑に移動させることができる。
【００２７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００２８】
１  かばん用仕切り
２  底敷
３  ストッパ
４  可動仕切り
５  仕切り板
６  底板
７  第一側板
８  第二側板
９  スリット
２０  かばん
【図１】
2020014699.tif 000003
【図２】
2020014699.tif 000004
【図３】
2020014699.tif 000005
【図４】
2020014699.tif 000006
【図５】
2020014699.tif 000007